(57)【特許請求の範囲】
【請求項１】
軸支されて回転可能な多面状収納室を有し、その多面状収納室に磁力を有する載置棚を各々複数段設け、前記した載置棚の磁力は埋設あるいは貼設した永久磁石とし、前記した載置棚の前面には開閉扉が設けられており、前記した回転軸にも磁力が施されており、前記した多面状収納室の載置棚には本体と蓋体とが永久磁石で吸着される収骨容器が前記した磁石で吸着設置される輪蔵式収骨棚において、前記した収骨容器の本体内は仕切り棚によって複数に区画され、この仕切り棚にも永久磁石が配されたものとし、かつ、前記した回転軸の下面と軸受底面の磁力は永久磁石により、相互に吸着安定させてあることを特徴とする輪蔵式収骨棚。
【発明の詳細な説明】
【０００１】
【発明の属する技術分野】
本発明は輪蔵式収骨棚に関し、故人の遺骨の一部（パウダ−化したものも含む）を収納した収骨容器を順次載置収納する納骨堂に代わる輪蔵式収骨棚に関する。
【０００２】
【発明の背景】
一般的に我が国では遺体は火葬に付され、残った遺骨を骨壷に収納して墓地に埋葬する。しかしながら近時墓地の確保も土地価格とのかね合いや土地利用目的の制約等によって困難となってきており、自然葬と称して海や山への散骨も行なわれるようになっている。
【０００３】
そこで、出願人は上記した実情に鑑みて、遺骨の一部を収用し、予め用意された設置棚に並列載置するための収骨容器を開発した（特願平１０−１７９６４６号、特願２０００−２２６６４３）。
【０００４】
【発明が解決しようとする課題】
しかし、上記した設置棚は通例壇状とすることが望まれるもので、そのためにかなりのスペ−スが要求され、納骨堂を格別に造成するにはそれなりの土地の広さや費用が必要となってくる。
【０００５】
【発明の目的】
本発明は係る実情、問題点に着目してなされたもので、かかる問題点を解消して、非常に限られた設置スペ−スで済み、経費も少ないもので済み、しかも地震をはじめとする振動に対しても対処することができる輪蔵式収骨棚を提供することを目的としている。
【０００６】
【課題を解決するための手段】
この目的を達成するために、本発明に係る輪蔵式収骨棚は軸支されて回転可能な多面状収納室を有し、その多面状収納室に磁力を有する載置棚を各々複数段設け、前記した載置棚の磁力は埋設あるいは貼設した永久磁石とし、前記した載置棚の前面には開閉扉が設けられており、前記した回転軸にも磁力が施されており、前記した多面状収納室の載置棚には本体と蓋体とが永久磁石で吸着される収骨容器が前記した磁石で吸着設置される輪蔵式収骨棚において、前記した収骨容器の本体内は仕切り棚によって複数に区画され、この仕切り棚にも永久磁石が配されたものとし、かつ、前記した回転軸の下面と軸受底面の磁力は永久磁石により、相互に吸着安定させてあることを特徴としている。
【０００７】
【作用】
係る構成としたことによって、少ないスペ−ス（幅、奥行き、高さ）で十分な量の収骨容器の収容ができるものとでき、少ない経費でまかなうことができ、しかも地震をはじめとする振動に対しても対処することができ、周囲への遺骨の散乱や混合も未然に防止することができることとなるのである。
【０００８】
【発明の実施の形態】
次に、本発明の実施の形態を図面を参照して説明する。図１は本発明を実施した輪蔵式収骨棚を示す概観斜視図、図２は収骨容器の蓋体の離脱状態斜視図、図３は棚板を示す断面図、図４は回転軸を示す断面図である。
【０００９】
これらの図にあって１は輪蔵式収骨棚本体を示している。この輪蔵式収骨棚本体１は実施の形態にあっては正六角柱状に形成され、上部に屋根部２を設け、下方に廻廊部３を模して設け全体として仏教建築様の外観を呈するものとなっている。
【００１０】
また、前記した廻廊部３の下方には補強部４・４‥を放射状に設け、その各々の補強部４・４‥の上部外端に手押し用バ−５・５‥が備えられている。
【００１１】
さらに、前記した補強部４・４‥の奥端で全体の中心位置には回転基軸６が設けられ、その回転基軸６の下端は軸受７に支承されている。即ち、前記した手押し用バ−５・５‥を各人が周面方向へ押すことで輪蔵式収骨棚本体１が回転基軸６を中心軸として回転されるものとなっている。
【００１２】
この輪蔵式収骨棚本体１の各側面には各々観音開きとされた開閉扉８・８‥が備えられ、外部よりこの開閉扉８・８‥を抑えるロック部８ａ・８ａ‥が設けられている。
【００１３】
通常、寺院の屋内に設けられている上記構成の輪蔵は前記開閉扉８・８‥内に数段の棚が形成され、その棚に多種の仏教経典が収納されているもので、手押し用バ−５・５‥を押して一回転廻ることで収納されている全ての経典を読破したと同等の御利益が得られるものとされている。
【００１４】
本実施の形態にあっては、前記した開閉扉８・８‥内には複数段の水平状態とした棚板９が設けられ、その棚板９上に前記した収骨容器１０が載置収納されるものとなっている。
【００１５】
収骨容器１０は本体１０ａとその本体１０ａの開口を塞ぐ蓋体１０ｂとより構成されており、全体が強い衝撃に耐えうる堅牢な金属製となっており、本体１０ａと蓋体１０ｂとは強力な永久磁石により吸着が可能とされ、万一の落下の場合にも開蓋してしまうことを防止している。なお、１０ｃは蓋体１０ｂの表面に設けられる銘板である。
【００１６】
一方、本体１０ａは本実施の形態にあっては仕切り棚１０ｄ・１０ｄが設けられて内部を区画し、家族等の複数人の遺骨の収納が共用できるものともしている。この仕切り棚１０ｄ・１０ｄ及び本体１０ａの内面にも強力な永久磁石が配され、遺骨の一部（のど仏やパウダ−化した骨）を専用の表面に磁性体を備えた袋に入れ収納することで吊り、引張状態とされ、内部での位置可変を制御され、振動が外部より加えられても影響のないように図られている。
【００１７】
また、前記した棚板９には本実施の形態の場合、上面に永久磁石１１・１１が埋設されており、載置された収骨容器１０を吸着安定させるものとしており、地震等の振動に対しても容易には離脱落下することのないよう図られている。
【００１８】
さらに、本実施の形態の場合、回転基軸６と軸受７との関係に磁力を施すことが考えられる。この磁力を施すには永久磁石１２・１３を回転基軸６と軸受とに備え、その永久磁石１２・１３のＮ極、Ｓ極を対向させ、相互に吸着させ安定性を図ることと、Ｎ極あるいはＳ極同士を対向させ相互に反発させる場合とが考えられる。相互に反発させるバ−ジョンは永久磁石１２・１３に代えて電磁石を採用することもでき、この場合は反発力で回転基軸６を浮かせ、回転に対する抗力をなくし、微少な押力で輪蔵式収骨棚本体１を回転させてやることができることとなる。
【００１９】
本実施の形態に係る輪蔵式収骨棚は上記のように構成されている。使用にあたっては開閉扉８・８‥内の棚板９に順次遺骨の一部が収納された収骨容器１０を載置し、必要に応じて輪蔵式収骨棚本体１を回転させて、目的とする収骨容器１０の位置を正面に向け、参拝することができ、寺院における彼岸会等も輪蔵式収骨棚本体１を回転させながら行なうことで全体への法要も可能とできる。
【００２０】
【発明の効果】
本発明に係る輪蔵式収骨棚は上述のように構成され使用される。そのため限られた小さなスペ−スであっても多量の収骨容器を収納保管することができ、格別に納骨堂を建立すること等と比してはるかに少ない経費で済むこととなっている。加えて、本発明に係る輪蔵式収骨棚は随所に磁力を用いているために、地震等の振動が加えられてもまず収骨容器の落下が防止され、万一収骨容器の落下が生じても収骨容器自体の構成によって破損、開蓋が防止され、内部の遺骨が散乱し混合してしまうような虞は一切ないものとなっている。
【図面の簡単な説明】
【図１】本発明を実施した輪蔵式収骨棚を示す概観斜視図である。
【図２】収骨容器の蓋体の離脱状態斜視図である。
【図３】棚板を示す断面図である。
【図４】回転軸を示す断面図である。
【符号の説明】
１  輪蔵式収骨棚本体
２  屋根部
３  廻廊部
４  補強部
５  手押しレバ−
６  回転基軸
７  軸受
８  開閉扉
８ａ  ロック部
９  棚板
１０  収骨容器
１１  永久磁石
１２  永久磁石
１３  永久磁石
【図１】
0003891262.tif 000002
【図２】
0003891262.tif 000003
【図３】
0003891262.tif 000004
【図４】
0003891262.tif 000005